(57)【要約】第１のビデオ信号と第２のビデオ信号とを結合する方法と装置である。この方法は、第２のビデオ信号内のデータが予め定義された繰返しパターンを表すときは、第２のビデオ信号内のデータを第１のビデオ信号からの、画像内の位置に関して対応するデータで置換することを含む。この装置は、第１のビデオ信号の入力のための第１の入力と、第２のビデオ信号の入力のための第２の入力と、第３のビデオ信号の出力のための出力と、前記第２の入力に接続して予め定義された繰返しパターンを検出するためのキーイング・パターン検出器であって、予め定義された繰返しパターンの表現を受けおよび／または記憶するための手段と、前記予め定義された繰返しパターンが検出されたかどうかを示す信号を与える出力と、を備えるキーイング・パターン検出器と、ビデオ・スイッチであって、前記第１の入力と、前記第２の入力と、前記出力と、前記キーイング・パターン検出器の出力とに接続して、第３のビデオ信号内に表すビデオ信号を第１の入力と第２の入力の一方から連続的に選択し、前記選択はキーイング・パターン検出器の出力からの信号により制御される、ビデオ・スイッチと、を備える。
2006516862.tif 000002
【特許請求の範囲】
【請求項１】
第１のビデオ信号と第２のビデオ信号とを結合する方法であって、少なくとも前記第１のビデオ信号はビデオ画像のシーケンスを表し、前記方法は、
前記第２のビデオ信号内の画像データが予め定義された繰返しパターンを含むときは、前記第２のビデオ信号内の前記画像データを前記第１のビデオ信号からの、画像内の位置に関して対応する画像データで置換する、
動作を含むビデオ信号を結合する方法。
【請求項２】
前記予め定義された繰返しパターンは予め定められた数の画素を含む連続的に配列された同じサブパターンにより形成され、前記方法は、
画像データを置換する動作の前に、前記予め定められた数の画素と少なくとも１つのサブパターンを含むキーイング・パターンとを比較して前記第２のビデオ信号内の前記予め定義された繰返しパターンを検出する、
動作を更に含む、請求項１記載のビデオ信号を結合する方法。
【請求項３】
前記第２のビデオ信号内の画像データを置換する前記動作は、
前記第２のビデオ信号の前記画像データ内の輝度データが予め定義された繰返しパターンを表すときは、前記第２のビデオ信号内の画像データを前記第１のビデオ信号からの、画像内の位置に関して対応する画像データで置換する、
動作を含む、請求項１−２のどれか１つに記載のビデオ信号を結合する方法。
【請求項４】
前記結合する方法は、前記第１のビデオ画像のクロマ・サブサンプルされた画像データと前記第２のビデオ信号のクロマ・サブサンプルされた画像データとを結合することを含む、請求項１−３のどれか１つに記載のビデオ信号を結合する方法。
【請求項５】
前記予め定義された繰返しパターンは予め定められた数の画素を含む連続的に配列された同じサブパターンにより形成され、前記方法は、置換する動作の前に、用いられたクロマ・サブサンプリング方法に従って、クロミナンスの同じデータを共用する或る数の画素の輝度データと同じ数の画素の輝度データを表すキーイング・パターンとを比較して前記第２のビデオ信号の画像データ内のサブパターンを検出する動作を更に含む、請求項４記載のビデオ信号を結合する方法。
【請求項６】
ビデオ・グラフィックス発生器から前記第２のビデオ信号を受ける、
ステップを更に含む、請求項１−５のどれか１つに記載のビデオ信号を結合する方法。
【請求項７】
第１のビデオ信号と第２のビデオ信号とを結合して第３のビデオ信号を生成する方法であって、各ビデオ信号はビデオ画像を表し、また少なくとも前記第１および第３のビデオ信号はビデオ画像のシーケンスを表し、前記方法は、
第１の信号源から前記第１のビデオ信号を受け、
第２の信号源から前記第２のビデオ信号を受け、
前記第２のビデオ信号の予め定められた数の画素内の画像データが予め定義された繰返しパターンの画素内の画像データに対応することを検出し、
前記予め定められた数の画素内の画像データが前記予め定義された繰返しパターンの画素内の画像データに対応しない場合は、前記予め定められた数の画素に対応する前記第２のビデオ信号の或る部分を出力し、
前記予め定められた数の画素内の画像データが前記予め定義された繰返しパターンの画素内の画像データに対応する場合は、前記予め定められた数の画素に、画像内の位置に関して対応する前記第１のビデオ信号の或る部分を出力する、
ことを含む、ビデオ信号を結合する方法。
【請求項８】
前記予め定義された繰返しパターンは予め定められた数の画素の画像データを含む連続的に配列された同じサブパターンにより形成され、前記検出する動作は前記予め定められた数の画素からの画像データと少なくとも１つのサブパターンを含むキーイング・パターンとを比較して前記第２のビデオ信号内の前記予め定義された繰返しパターンを検出する動作を含む、請求項７記載のビデオ信号を結合する方法。
【請求項９】
前記検出する動作は予め定義された繰返しパターンが前記第２の絵の前記予め定められた数の画素の輝度値内にあるかどうか検出するステップを含む、請求項７または８のどれか１つに記載のビデオ信号を結合する方法。
【請求項１０】
ビデオ信号は画像の画素の表現を含み、また各画素は１つの輝度値と２つのクロミナンス値とにより表される、請求項７−９のどれか記載のビデオ信号を結合する方法。
【請求項１１】
ビデオ・グラフィックス発生器から前記第１のビデオ信号を受けるステップを更に含む、請求項７−１０のどれか１つに記載のビデオ信号を結合する方法。
【請求項１２】
第１のビデオ信号と第２のビデオ信号とを結合する装置であって、前記ビデオ信号はビデオ画像を表し、また少なくとも前記第１のビデオ信号はビデオ画像のシーケンスを表し、前記装置は、
（１）前記第１のビデオ信号の入力のための第１の入力と、
（２）前記第２のビデオ信号の入力のための第２の入力と、
（３）第３のビデオ信号の出力のための出力と、
（４）前記第２の入力に接続して予め定義された繰返しパターンを検出するためのキーイング・パターン検出器であって、
前記予め定義された繰返しパターンの表現を受けおよび／または記憶するための手段
と、
前記予め定義された繰返しパターンが検出されたかどうかを示す信号を与える出力と
、
を備えるキーイング・パターン検出器と、
（５）ビデオ・スイッチであって、前記第１の入力と、前記第２の入力と、前記出力と、前記キーイング・パターン検出器の出力とに接続して、第３のビデオ信号内に表すビデオ信号を前記第１の入力と前記第２の入力の一方から連続的に選択し、前記選択は前記キーイング・パターン検出器の出力からの信号により制御される、ビデオ・スイッチと、
を備えるビデオ信号を結合する装置。
【請求項１３】
前記予め定義された繰返しパターンは連続的に配列されたサブパターンを含む、請求項１２記載のビデオ信号を結合する装置。
【請求項１４】
前記キーイング・パターン検出器で処理される前記予め定義された繰返しパターンの前記表現は、前記予め定義された繰返しパターンのサブパターンの画素の数に対応する予め定められた数の画素に関するビデオ画像データである、請求項１２−１３のどれか１つに記載のビデオ信号を結合する装置。
【請求項１５】
前記ビット画像データは前記予め定められた数の画素の輝度を表すデータである、請求項１４記載のビデオ信号を結合する装置。
【請求項１６】
ビデオ信号であって、ビデオ信号のビデオ画像の各画素は１つの輝度値と２つのクロミナンス値とにより表され、
予め定義された繰返しパターンを前記画素の輝度値が定義する、ディジタル的に生成される背景と、
ディジタル的に生成されるビデオ・グラフィック前景と、
を含むビデオ信号。
【請求項１７】
前記予め定義された繰返しパターンは予め定められた数の画素を含む連続的に配列された同じサブパターンで形成される、請求項１６記載のビデオ信号。
【請求項１８】
前記サブパターンは前記ビデオ信号の輝度データで定義される、請求項１６−１７のどれか１つに記載のビデオ信号。
【請求項１９】
前記ビデオ信号の各絵はクロマ・サブサンプルされる、請求項１６−１８のどれか１つに記載のビデオ信号。
【請求項２０】
前記サブパターンは前記ビデオ信号の輝度データで定義され、また前記サブパターン内に表される画素の数は前記クロマ・サブサンプルされたビデオ信号内の同じクロマ・データを共用する画素の数に対応する、請求項１９記載のビデオ信号。
【発明の詳細な説明】
【技術分野】
【０００１】
本発明は第１のビデオ信号と第２のビデオ信号とを結合する方法と装置に関するもので、前記ビデオ信号はビデオ画像を表し、また少なくとも第１のビデオ信号は動画を表す。また、本発明はビデオ信号に関するもので、前記ビデオ信号のビデオ画像の各画素は輝度値とクロミナンス値とで表される。
【背景技術】
【０００２】
２つ以上のビデオ信号を結合すなわち混合して１つのビデオ信号を生成する手段はこの技術で周知である。例えばかかる技術は、通常、映画またはテレビの録画において前景の物体または人をその物体または人を録画する環境とは異なる環境に置くのに用いられる。
【０００３】
通常、かかる従来の手段はカラー・キーイングと呼ばれる方法を用いる。カラー・キーイングの簡単な形では、前景の物体または人は単色（通常は青または緑）で色づけされたスクリーンの前面に録画（前景録画）される。望ましい背景の第２の録画も行われる。次に、前景録画の色をチェックし、前景録画の色情報に基づいて２つの録画をそれぞれ表す２つのビデオ信号を切り替えて、２つの録画を結合する。前景録画内のスクリーンの色を検出したときは背景ビデオ信号に切り替えて、結合ビデオ信号を表すビデオ信号を生成し、前景録画内のスクリーンの色を検出しないときは前景ビデオ信号に切り替えて、結合ビデオ信号を表すビデオ信号を生成する。
【０００４】
カラー・キーイングは２つのビデオ信号を結合するのに広く用いられている方法であって、録画ビデオと生ビデオの両方に用いることができる。
しかしカラー・キーイング方式では、前景ビデオ信号内の特定の色を置換信号として確保する必要がある。したがって、この確保される色は前景の中の、背景録画により置換される部分以外のどこにあってもいけない。このため前景録画内で許容される色の数が制限されて、録画の中の、置換してはならない部分にこの確保された色が現れないようにユーザは調整しなければならない。
【発明の開示】
【発明が解決しようとする課題】
【０００５】
ＵＳ第５，５６６，２５１号は複数の別個のビデオ信号源からのビデオ画像データを混合して複合ビデオ画像を得るシステムを記述しているが、カラー・キーイングとは異なる方法が用いられている。前記システムでは、オペレータは１つのビデオ・シーケンス内の任意の目標パターン（例えば、ビルボード上のロゴタイプ・パターン）を指定する。次に、このシステムはこのビデオ・シーケンスを連続的に監視して、ロゴタイプ・パターンが見つかるビデオ・シーケンスの全てのビデオ画像内で、このシステムはそのロゴタイプ・パターンを別のビデオ信号源からのビデオ画像データで置換する。
【０００６】
より特定して述べると、ＵＳ第５，５６６，２５１号に係るシステムはロゴタイプ・パターンを探して、これが見つかるとそのロゴタイプ・パターンの方向、寸法、透視歪などを推定する。次に、かかる推定を他のビデオ信号源からのビデオ画像データに適用して、ロゴタイプ・パターンの外観に対応する複合ビデオ画像内に他のビデオ信号源のビデオ画像データを現す。
【０００７】
このシステムは非常に複雑で、任意のロゴタイプ・パターンを検出しまた方向、寸法、透視歪などを推定するのに膨大な処理を必要とする。
【課題を解決するための手段】
【０００８】
本発明の目的は２つのビデオ信号を簡単に質的に混合して１つのビデオ信号を生成するための手段を示すことである。
この目的は、クレーム１または７に係る方法により、クレーム１２に係る装置により、またクレーム１６に係るビデオ信号により達成される。本発明の好ましい実施の形態は従属クレームに開示されている。
【０００９】
詳しく述べると、本発明の第１の態様では、この目的は第１のビデオ信号と第２のビデオ信号とを結合する方法により達成される。ただし、少なくとも第１のビデオ信号はビデオ画像のシーケンスを表す。この方法は、第２のビデオ信号内の画像データが予め定義された繰返しパターンを含むときは、第２のビデオ信号内の前記画像データを第１のビデオ信号からの、画像内の位置に関して対応する画像データで置換することを含む。
【００１０】
本発明の別の態様では、本発明の目的は第１のビデオ信号と第２のビデオ信号とを結合して第３のビデオ信号を生成する方法により達成される。ただし、各ビデオ信号はビデオ画像を表し、また少なくとも第１および第３のビデオ信号はビデオ画像のシーケンスを表す。この方法は次の動作を含む。すなわち、
第１の信号源から前記第１のビデオ信号を受け、
第２の信号源から前記第２のビデオ信号を受け、
前記第２のビデオ信号の予め定められた数の画素内の画像データが予め定義された繰返しパターンの画素内の画像データに対応するかどうか検出し、
予め定められた数の画素内の画像データが予め定義された繰返しパターンの画素内の画像データに対応しない場合は、前記予め定められた数の画素に対応する前記第２のビデオ信号の或る部分を出力し、
予め定められた数の画素内の画像データが予め定義された繰返しパターンの画素内の画像データに対応する場合は、前記予め定められた数の画素に、画像内の位置に関して対応する前記第１のビデオ信号の或る部分を出力する。
【００１１】
本発明の更に別の態様では、本発明の目的は第１のビデオ信号と第２のビデオ信号とを結合する装置により達成される。ただし、前記ビデオ信号はビデオ画像を表し、また少なくとも第１のビデオ信号はビデオ画像のシーケンスを表し、この装置は、
（１）第１のビデオ信号の入力のための第１の入力と、
（２）第２のビデオ信号の入力のための第２の入力と、
（３）第３のビデオ信号の出力のための出力と、
（４）前記第２の入力に接続して予め定義された繰返しパターンを検出するためのキーイング・パターン検出器であって、
予め定義された繰返しパターンの表現を受けおよび／または記憶するための手段と、
前記予め定義された繰返しパターンが検出されたかどうかを示す信号を与える出力と
、
を備えるキーイング・パターン検出器と、
（５）ビデオ・スイッチであって、前記第１の入力と、前記第２の入力と、前記出力と、前記キーイング・パターン検出器の出力とに接続して、第３のビデオ信号内に表すビデオ信号を第１の入力と第２の入力の一方から連続的に選択し、前記選択はキーイング・パターン検出器の出力からの信号により制御される、ビデオ・スイッチと、
を備える。
【００１２】
本発明の更に別の態様では、この目的はビデオ信号により達成される。ただし、前記ビデオ信号のビデオ画像の各画素は１つの輝度値と２つのクロミナンス値とにより表される。前記ビデオ信号は、
予め定義された繰返しパターンを画素の輝度値が定義する、ディジタル的に生成される背景と、
ディジタル的に生成されるビデオ・グラフィック前景と、
を含む。
【００１３】
置換するビデオ画像の領域を定義するのに予め定義された繰返しパターンを用いることにより、処理されたビデオ画像内では、全ての利用可能な色レベルおよび／または輝度レベルを、結合される２つのビデオ信号の任意のビデオ画像内に用いることができる。結合されない領域内にキーイング・カラーがあるため、得られるビデオ信号の得られるビデオ画像内に奇妙な結合歪を生じるリスクも、予め定義された繰返しパターンを用いることにより減少し、色レベルの数および／または輝度レベルの数を制限する必要がない。
【００１４】
また、第２のビデオ信号の或る部分を第１のビデオ信号で置換するかどうか、または第２または第１のビデオ信号の或る部分を得られる結合ビデオ信号内に含めるかどうか、を判断するプロセスまたは手段は容易に実現することができる。なぜなら、置換されるパターンの或る部分だけを同時に認識すればよいからである。したがって、カラー・キーイング方式の欠点は、ＵＳ第５，５６６，２５１号に係るシステムを提供するのに用いられる手段ほど精巧で複雑ではない手段を用いることにより克服することができる。
【００１５】
本発明の文脈では、ビデオ信号は少なくとも１つのビデオ画像を表す画像データを運ぶ信号と定義される。
【００１６】
本発明の１つの実施の形態では、第２のビデオ信号のビデオ画像内の或る部分を第１のビデオ信号の対応する部分で表すことを示す予め定義された繰返しパターンは、予め定められた数の画素を含む連続的に配列された同じサブパターンにより形成される。したがって、第２のビデオ信号内の予め定義された繰返しパターンを検出する動作は、第２のビデオ信号から予め定められた数の画素を読み取って、前記読み取った予め定められた数の画素と少なくとも１つのサブパターンを含むキーイング・パターンとを比較することにより行われる。
【００１７】
前記同じサブパターン（置換するビデオ信号の部分を識別するために画素レベルで定義されたサブパターン）により形成される予め定義された繰返しパターンを用いることにより、２つのビデオ信号のビデオ画像を結合する動作または手段は簡単で正確になる。また、予め定義された繰返しパターンを検出するシステムは、ビデオ画像のかなり大きな部分を占める対象を探したり、または一層悪い場合には、ビデオ画像のシーケンス内の全ての連続的なビデオ画像内で前記対象を探したりする複雑なものではなく、１つのサブパターンを同時に検出して置換する簡単なシステムにしてよい。しかし、複数のサブパターンを同時に認識するようにシステムを設計しても上に述べた利点を得ることができる。
【００１８】
更に、この実施の形態に係るシステムを用いると結合手続きがむしろ速くなる。これは実時間の応用では利点である。なぜなら、画像のデータを分析するために実質的に全ての画像を記憶しなくても、予め定義された繰返しパターンを検出して置換することが可能だからである。
【００１９】
また、第２のビデオ画像をビデオ・グラッフィクス発生器により生成する場合は、予め定義された繰返しパターンの画素レベルの正確な画像を第２のビデオ画像内に容易に与えることができる。したがって、予め定義された繰返しパターンの検出が容易になる。なぜなら、前記パターンを検出する手段は前記パターンの正確な模写以外の表現を一切考慮する必要がないからである。したがって、画素の値をキーイング・パターン内の画素の値に対して直接テストすることができる。
【００２０】
別の実施の形態では、予め定義された繰返しパターンはビデオ画像の輝度を表す第２のビデオ信号のデータで与えられる。例えば、ビデオ画像の画素を定義するデータが１つの輝度値と２つの色値とを含む場合は、予め定義された繰返しパターンはビデオ画像を形成する画素の輝度値で与えられる。
【００２１】
予め定義された繰返しパターンをビデオ画像の輝度値で与えることにより、また２つのビデオ信号を結合するプロセス中にこれを検出することにより、得られるビデオ信号のビデオ画像内に奇妙な結合歪を生じるリスクを更に減らすことができる。
【００２２】
また、或る従来の方法／システムを用いてクロマ・サブサンプルされた（ｃｈｒｏｍａ  ｓｕｂ−ｓａｍｐｌｅｄ）ビデオ画像を結合するとき、得られるビデオ画像は奇妙な色効果を示すことがある。かかる効果が起こるのは、クロマ・サブサンプルされたビデオ画像内のいくつかの画素が輝度に関するデータだけを運ぶからである。この問題は、ビデオ信号のビデオ画像を表す画素の輝度値内に予め定義された繰返しパターンを与えて検出することにより解決することができる。
【００２３】
また、本発明のこの実施の形態を実現することにより、２つのビデオ信号を結合するシステムまたはプロセスの複雑さを更に減らすことができる。これは、ビデオ画像の画素の輝度値内の予め定義された繰返しパターンを検出するためだけの手段を用いることにより達成することができる。
【００２４】
本発明が適用可能な更に別の範囲は以下に述べる詳細な説明から明らかになるであろう。しかし詳細な説明や特定の例は、本発明の好ましい実施の形態を示すものではあるが、単に例として示すに過ぎないことを理解しなければならない。なぜなら、この詳細な説明から本発明の精神と範囲内の種々の変更や修正が当業者に明らかになるからである。
【実施例】
【００２５】
図１は、２つのビデオ信号を結合するための従来のカラーキーイング・システムの一例を示す。このシステムは、背景１０４を録画するためのビデオ・カメラ１０２と、前景１０８を録画するためのビデオ・カメラ１０６と、背景ビデオ信号１１２と前景ビデオ信号１１４とを切り替えて前景１０８と背景１０４との結合１１８を表す単一ビデオ信号１１６を生成するビデオ・スイッチ１１０と、ビデオ・スイッチ１１０を制御する色検出器１２０とを含む。
【００２６】
前景の情景１０８が配列される。情景１０８内の背景（例えば、最終のビデオ・シーケンスで置換される情景の領域１１４）は塗りつぶしまたは任意の他の方法により単色で与えられる。通常、置換される領域は青色である。最終のビデオ・シーケンスで目に見える物体または人１１６は、カメラ１０６により単色の背景の前面に録画される。次に、録画された前景ビデオ・シーケンスを表すビデオ信号１１４がビデオ・スイッチ１１０に送られる。
【００２７】
また、背景の情景１０４が配列または選択される。背景の情景１０４はカメラ１０２により録画される。録画された背景ビデオ・シーケンスを表すビデオ信号１１２がビデオ・スイッチ１１０に送られる。
【００２８】
前景ビデオ信号１１４は色検出器１２０にも送られる。色検出器１２０は、前景ビデオ信号１１４内に、前記単色を有する録画された前景ビデオ・シーケンスの領域が存在することを検出する。前記単色を検出すると、色検出器は、背景ビデオ信号１１２からの画像情報を送るようビデオ・スイッチに指示する信号１２２をビデオ・スイッチ１１０に送る。前記単色を検出しない場合は、色検出器は、前景ビデオ信号１１４からの画像情報を送るようビデオ・スイッチに指示する信号１２２をビデオ・スイッチに送る。このようにして、前景ビデオ信号１１４と背景ビデオ信号１１２との結合により、得られるビデオ信号１１６が形成されて結合ビデオ・シーケンス１１８が生成される。得られるビデオ・シーケンスはテープに録画されたり、生放送されたり、サーバ上に記憶されたりする。
【００２９】
ビデオ・シーケンスを結合するこのシステムと方法はテレビジョン放送や映画で一般に用いられ、実際的または技術的理由から利用可能でない環境内に報道記者や文字を配置する。
上に述べたシステムとかかるシステムの構造の詳細は当業者に周知である。
【００３０】
図２は本発明に係るシステムを示す。このシステムは背景２０４、事象２０４、または特定のサイトでの出来事２０４のビデオ・シーケンスを録画するためのカメラ２０２を備える。カメラ２０２はスタジオ・カメラ、手で持つビデオ・カメラ、監視カメラ、ウエブ・カメラなどでよい。また、このシステムはカメラ２０２が録画したビデオ・シーケンスの上に置かれるディジタル・グラフィック・オーバーレイ２２２を生成するビデオ・グラフィックス発生器２０６と、ビデオ結合装置２１０を備える。ビデオ結合装置２１０はカメラ・ビデオ信号２１２とグラフィックス・ビデオ信号２１４とを切替えて結合ビデオ信号２１６を生成するためのビデオ・スイッチ１１０と、スイッチに制御信号２２０を送ってビデオ・スイッチ１１０を制御するキーイング・パターン検出器２１８とを備える。カメラ・ビデオ信号２１２とグラフィックス・ビデオ信号２１４とは好ましくはディジタル・ビデオ信号である。例えば、ＣＣＩＲ（国際無線通信諮問委員会）、ＡＴＳＣ（新テレビジョン方式委員会）、または任意の他の利用可能なディジタル・ビデオ・フォーマットの標準に従うビデオ信号である。
【００３１】
ビデオ・グラフィックス発生器２０６は、カメラ２０２が録画したビデオ・シーケンスの上に置かれるビデオ・グラフィックス２２２を生成する。例えば、ビデオ・グラフィックス２２２は日付、時間、ロゴタイプ、名前、カメラまたはその他の装置の設定に関する情報、その他の情報、動画の物体または人／文字など、またはこれらの任意の組合せでよい。ビデオ・グラフィックスの背景（すなわち、カメラ２０２のビデオ・シーケンスで置換されるビデオ・グラフィックスの領域）はビデオ・グラフィックス２２２内の予め定義された繰返しパターン２２４により示される。
【００３２】
このパターンは、画素レベルで定義されかつ前記予め定義された繰返しパターン２２４を形成するために連続的に繰り返される少なくとも１つのサブパターンにより形成してよい。ビデオ・グラフィックス２２４は画像のシーケンス（すなわち、動画）でよい。例えば、情報は連続的な画像内で連続的に更新してよいし、またはロゴタイプ、物または人／文字は動画にしてよい。他の実施の形態では、ビデオ・グラフィックスは静止画像でよい。
【００３３】
ビデオ・グラフィックス発生器２０６はビデオ・グラフィックス２２２を前記グラフィックス・ビデオ信号２１４に変換して、信号２１４をビデオ結合装置２１０のビデオ・スイッチ１１０とキーイング・パターン検出器２１８とに与える。
【００３４】
前記ビデオ・グラフィックス発生器２０６は受けた情報（時間値またはその他のデータ、および／またはテキスト・ストリングなど）からビデオ・グラフィックス２２２を自動的に生成する埋込みプロセッサ装置でよい。これはまた、ラップトップ・コンピュータ、デスクトップ・コンピュータ、または予め定義された繰返しパターン２２４を有する前記ビデオ・グラフィックスを生成することのできる任意の他の装置でよい。可能なビデオ・グラフィックス発生器に関する詳細な情報を示す後のパラグラフも参照のこと。
カメラ２０２は、画像フレームのシーケンスを表す前記カメラ・ビデオ信号２１２をビデオ・スイッチ１１０に与える。
【００３５】
キーイング・パターン検出器２１８はグラフィックス・ビデオ信号２１４を受けて、グラフィックス・ビデオ信号２１４の内容と基準パターンの表現とを比較する。基準パターンは予め定義された繰返しパターン２２４の少なくとも１つのサブパターンに対応してよい。グラフィックス・ビデオ信号の内容が基準パターンに対応する場合は、キーイング・パターン検出器２１８は、ビデオ・スイッチ１１０がカメラ・ビデオ信号２１２を通す状態に制御信号２２０を設定する。グラフィックス・ビデオ信号の内容が基準パターンに対応しない場合は、キーイング・パターン検出器２１８はビデオ・スイッチ１１０がグラフィック・ビデオ信号２１４を通す状態に制御信号２２０を設定する。基準パターンはキーイング・パターンとも呼ばれる。なぜなら、カメラ・ビデオ信号２１２が得られるビデオ信号２１６に入らないように鍵をかける（ｋｅｙ  ｉｎｔｏ）パターンを表すからである。
【００３６】
ビデオ・スイッチ１１０は従来のビデオ・スイッチと同様に動作してよく、制御信号２２０の値／状態に従って２つのビデオ信号２１２，２１４の一方からの画像データを通す。キーイング・パターン検出器２１８でスイッチを制御することにより、またビデオ・グラフィックス内の予め定義された繰返しパターンを与えることにより、結合ビデオ信号２１６は、カメラ２０２が録画した画像シーケンスの各画像の或る部分とビデオ・グラフィックス発生器２０６が生成した画像シーケンスの各画像の或る部分とをその中の各画像が含む、画像２２６のシーケンスを表すようにすることができる。
【００３７】
次に、結合ビデオ信号２１６は網サーバ機能を有する装置またはアプリケーションに送られ、網（例えば、コンピュータ網または監視網）を介して視聴装置に、またはビデオ結合装置２１０を備える装置の内部ディスプレイに、またはビデオ信号の画像シーケンスを記憶する録画装置などに送るためのビデオ信号を準備する。得られるビデオ・シーケンスはテープに録画されたり、生放送されたり、サーバ上に記憶されたりする。
【００３８】
図３は１つの実施の形態に係るビデオ・グラフィックス発生器２０６の略図を示す。ビデオ・グラフィックス発生器は埋込みプロセッサ装置、ラップトップ・コンピュータ、デスクトップ・コンピュータ、または予め定義された繰返しパターンを有するビデオ・グラフィックスを生成する任意の他の手段でよい。ビデオ・グラフィックス発生器は、メモリ内に記憶されたビデオ・グラフィックスを出力するためのメモリ内のカウンタ・アドレス指定画像情報で形成してもよい。しかし１つの実施の形態では、ビデオ・グラフィックス発生器２０６は、プロセッサ３０２、メモリ３０４、およびビデオ信号発生器３０６を備えてよい。プロセッサ３０２はメモリ３０４内に記憶されているプログラム・コードとビデオ・グラフィックス情報とを処理して、ビデオ・スイッチに送られる予め定義された繰返しパターンとグラフィックス・オーバーレイとを生成する。このプロセッサはグラフィック発生器専用のプロセッサ、またはグラフィック発生器が埋め込まれているシステムのプロセッサでよい。ビデオ信号発生器３０６は、カメラとキーイング・パターン検出器が用いるフォーマットと同じフォーマットのビデオ・グラフィックの画像フレームを与える。また、ビデオ・グラフィックの画像データを運ぶ信号が生成されて出力される。
【００３９】
ビデオ・グラフィックス発生器２０６の１つの実施の形態では、ビデオ・グラフィックス発生器２０６はビデオ画像が実際には静止画像であってもビデオ画像のシーケンスを生成してよい。標準のディジタル・ビデオ・フォーマットでビデオ・グラフィックスを生成しまたビデオ・グラフィックスの画像データを運ぶ信号を生成することのできるグラフィックス発生器は当業者に周知である。
【００４０】
１つの実施の形態では、予め定義された繰返しパターンは少なくとも１つの非繰返しサブパターンの画像データにより形成してよい。これを図４に示す。ビデオ・グラフィックス発生器が生成する画像シーケンスの画像４０２は、置換される画像４０２の領域を表す、予め定義された繰返しパターンを形成する複数の同じ予め定義されたサブパターン４０４を含んでよい。次に、得られる結合内で目に見えるオーバーレイ・グラフィックス４０６を繰返しパターンの上に置いてよい。
【００４１】
サブパターンは、特定のアプリケーションで適当と思われるだけの数の画素を含んでよい。サブパターンは、サブパターンの画素間のクロミナンスの特定の変形として、輝度の特定の変形として、または前に述べた２つの変形の結合として、定義してよい。オーバーレイ・グラフィックス４０６は、前に述べたように日付、時間、ロゴタイプ、名前、カメラまたは他の装置の設定に関する情報、その他の情報、動画の物体または人／文字など、またはこれらの任意の組合せでよい。
【００４２】
図５ａ−５ｄはサブパターンのいくつかの例を示す。図の中の各正方形は画素を表し、正方形の種々のフィル・パターンは画素を定義する少なくとも１つのパラメータの異なる値を示す。例えば図５ａで、第１の画素４２２のパラメータはＲＧＢ表示法で０，０，０、また第２の画素４２４のパラメータは２５５，２５５，２５５でよい。または、第１の画素４２２のパラメータは？，０，？、また第２の画素のパラメータは？，２５５，？でよい。疑問符（？）は、パラメータの値が何でもよいことを示す。
【００４３】
各画素のパラメータが輝度・クロミナンス値で定義される場合は、画素を定義するパラメータは、例えばＹ，Ｃｂ，Ｃｒ表示法でよく、第１の画素４２２では２５５，？，？、また第２の画素では０，？，？でよい。疑問符（？）は、パラメータの値が何でもよいことを示す。または、パラメータは例えば第１の画素４２２では０，０，０、また第２の画素４２４では２５５，２５５，２５５でよい。第１の画素４２２のパラメータ組合せが第２の画素４２４のパラメータ組合せと同じでない限り、パラメータの値の任意の他の組合せを用いてよい。図５ｄに示すように、サブパターンがサブパターンでないパターンと区別することができる限り、同じサブパターン内の２つの画素に同じ値を与えてもよい。
【００４４】
１つの実施の形態では、図２のカメラ２０２からおよびビデオ・グラフィックス発生器２０６から送られるディジタル・ビデオは輝度・クロミナンス値（Ｙ  Ｃｂ  Ｃｒ）により定義され、クロマ・サブサンプルされる。すなわち、各絵の中の色情報は輝度より低い空間解像度でサンプルされる。信号は例えば４：２：２でクロマ・サブサンプルされ、４：１：１でクロマ・サブサンプルされ、４：２：０でクロマ・サブサンプルされ、または任意の他の種類のクロマ・サブサンプリングでよい。
【００４５】
図６ａ−６ｄは、クロマ・サブサンプルされたビデオ画像の各部の略図を示す。図６ａ−６ｄの各正方形はビデオ画像の画素に対応する。クロマ・サブサンプルされたビデオ画像では、特定の輝度値Ｙ１−Ｙ４が画素毎に定義される。しかし、ＣｂとＣｒの値で定義される特定のクロミナンス値は画素毎には定義されない。
【００４６】
４：２：２のクロマ・サブサンプルされたビデオ画像（図６ａ参照）では、１つの特定のＣｂ値が水平に連続する２つの画素について定義され、また１つの特定のＣｒ値が水平に連続する２つの画素について定義される。したがって、かかる連続する２つの画素のクロミナンス（例えば、太線で囲まれたもの）は同じである。すなわち、２つの画素の色は同じクロミナンス・データで定義される。したがって、４：２：２のクロマ・サブサンプルされたビデオ画像は、各特定の画素の色が定義されるビデオ画像に関して実質的に半分の色情報を含む。
【００４７】
４：１：１のクロマ・サブサンプルされたビデオ画像（図６ｂ参照）では、水平に連続する４つの画素のクロミナンスが同じクロミナンス・データ（例えば、太線で囲まれたもの）により定義される。したがって、かかるビデオ画像は各特定の画素の色が定義されるビデオ画像に関して実質的に４分の１の色情報を含む。
【００４８】
４：２：０のクロマ・サブサンプルされたビデオ画像（図６ｃ参照）では、正方形内の４つの画素のクロミナンス（例えば、太線で囲まれたもの）は同じクロミナンス・データにより定義される。したがって、かかるビデオ画像は各特定の画素の色が定義されるビデオ画像に関して実質的に４分の１の色情報を含む。
しかし図６ａ−６ｃに見られるように、画素毎に１つの特定の輝度値が定義される。かかるサブサンプリング方法の背後の理論によると、人の目はクロミナンスの変動より輝度の変動に一層敏感である。
【００４９】
本発明の１つの実施の形態では、ビデオ画像シーケンスのビデオ画像は４：２：２でクロマ・サブサンプルされ、サブパターンは２つの連続した画素（例えば、図６ａのＹ１とＹ２とを含む画素）により定義される。パターンを定義するため、第１の画素の輝度値Ｙ１を特定の値Ｙαと定義し、第２の画素の輝度値をＹβと定義する（図７参照）。サブパターンの２つの画素のそれぞれの中のクロミナンスＣｂ，Ｃｒの値は任意の値でよい。なぜなら、サブパターンはサブパターンの２つの画素の輝度値ＹαとＹβだけにより定義されるからである。
【００５０】
４：１：１のクロマ・サブサンプリングを用いる実施の形態では、予め定義された繰返しパターンのサブパターンを同様にして定義してよい（例えば、図６ｂに示す輝度値Ｙ１−Ｙ４でサブパターンを形成することにより）。したがって、４つの画素の色を定義する２つのクロミナンス値Ｃｂ，Ｃｒは、かかる実施の形態では任意の値に設定してよい。同様にして、４：２：０のクロマ・サブサンプリングを用いる実施の形態のサブパターンは正方形内に配列された４つの画素の輝度値Ｙ１−Ｙ４により定義してよい。例えば、４つの画素は図６ｃの第１行内の最初の２つの画素と、図６ｃの第２行内の最初の２つの画素でよい。
【００５１】
上に述べたように、本発明の１つの実施の形態のキーイング・パターン検出器はグラフィックス発生器から送られる画素からのデータと予め定義された繰返しパターンの或る部分を表すデータとを比較する。例えば、グラフィックス発生器から送られる画素からのデータと予め定義された繰返しパターンの予め定義されたサブパターンのデータとを比較してよい。また、サブパターンのデータと比較される画素からのデータは、例えば、画素のコーディングに従って、画素を定義する１つまたは複数のＲＧＢパラメータ、または輝度およびクロミナンスＹｃｂＣｒパラメータの一方または両方でよい。比較は周期的に行ってよく、各サイクルでの比較は、サブパターンで表される画素の数に対応する画素の数について行ってよい。１つの実施の形態では、比較は前記画素の数の連続したブロックについて行う。すなわち、或る画素の比較は１度だけ行う。
【００５２】
図８は本発明のキーイング・パターン検出器２１８の１つの実施の形態を示す。グラフィックス発生器から送られる画素に関するデータはビデオ・グラフィックス入力４５２に入り、キーイング・パターンに関するデータはサブパターン入力４５４に入る。入力４５２，４５４からのそれぞれのデータをデータ論理回路４５６で比較して、ビデオ・グラフィックス発生器からのデータとキーイング・パターンのデータとが同じかどうか判定する。この比較はＥＱＵＡＬ機能４５８を実現する論理回路により行われる。下の表を参照のこと。ＥＱＵＡＬ機能は出力４６０を介して制御信号を与える。
【００５３】
ＥＱＵＡＬ機能を実現する方法はいろいろあり、当業者に周知である。したがって、かかる実現の１つの実施の形態だけを以下に説明する（図９参照）。キーイング・パターンと比較するビデオ・グラフィックス発生器からのデータの各ビット４６２−４６８をキーイング・パターンの各対応するビット４７２−４７８に対して、ＸＯＲゲート（排他的ＯＲゲート）４８２−４８８によりテストする。キーイング・パターン内のビットの数と、したがってキーイング・パターンに対してテストするビデオ・グラフィックス発生器からのデータ内のビットの数とは、各検出サイクルでテストするグラフィックス発生器からの画素の数と、画素毎にテストするパラメータの数と、テストする各パラメータ内のビットの数とに依存する。
2006516862.tif 000003
【００５４】
例えば、２つの画素のキーイング・パターンでは、すなわち、２つの画素と４：２：２のクロマ・サブサンプルされたビデオ画像の輝度にだけ関係するキーイング・パターンとを同時に比較し、かつそのビデオ画像とキーイング・パターンでの各輝度値が８ビットで表される場合は、キーイング・パターンとビデオ画像内でそれぞれ毎回テストするビット数は１６である。すなわち、キーイング・パターンは１６ビットから成り、テストするデータは１６ビットから成る。
【００５５】
ビット画像のデータの各ビットをＸＯＲゲート４８２−４８８内でキーイング・パターンの各ビットに対してテストし終わると、各ＸＯＲゲート４８２−４８８の得られる信号４９２−４９８を最終ＮＯＲ動作（ＮＯＲゲート５００で示す）で他のＸＯＲゲート４８２−４８８の全ての他の得られる信号４９２−４９８に対してテストしてよい。したがって、ビデオ・グラフィックス発生器からのデータ４５２がキーイング・パターンのデータ４５４に対応する場合は、全ての得られる信号４９２−４９８は全て状態「０」に対応し、したがって、最終ＮＯＲ動作５００は状態「１」に対応する制御信号４６０を出す。
【００５６】
ビデオ・グラフィックス発生器からのデータ４５２の１つまたは複数のビットがキーイング・パターンの対応するビットに対応しない場合は、１つまたは複数の得られる信号４９２−４９８は状態「１」に対応するので、ＮＯＲ動作５００は状態「０」に対応する制御信号４６０を出す。この得られる信号はスイッチに与えられ、テストされたデータを含むビデオ・グラフィックス発生器からの信号の部分をスイッチで送るかどうか制御する。上の例では、状態「１」に対応する制御信号の場合はスイッチはグラフィックス発生器からの信号を送るが、状態「０」に対応する制御信号の場合はスイッチはカメラからの信号を送る。
【００５７】
図８で、キーイング・パターンはキーイング・パターン検出器２１８の外部の信号線またはデータ・バスによりキーイング・パターン検出器に与えられる。かかる実施の形態では、キーイング・パターンはキーイング・パターン検出器２１８を含む装置のメモリ内に記憶してよい。しかし、キーイング・パターンはキーイング・パターン検出器２１８内に記憶しまたはハード・コード化してもよい。
【００５８】
図１０は本発明の或る実施の形態を示す。この実施の形態では、キーイング・パターン検出器２１８とビデオ・スイッチ１１０とはビデオ結合装置２１０内に配置される。またカメラからの画像シーケンスの画像とグラフィックス発生器からの画像とは４：２：２でクロマ・サブサンプルされる。したがって、前記画像の２つの画素は、２つの画素の第１の画素の輝度値を表すパラメータＹ１と、２つの画素の第２の画素の輝度値を表すパラメータＹ２と、前記２つの画素の色を共に定義するＣｂおよびＣｒとにより表される。以後このテキストでは、かかる２つの画素を画素の対と呼ぶ。
【００５９】
カメラ・ビデオ信号２１２はビデオ結合装置２１０の第１の入力５１２に入り、グラフィックス・ビデオ信号２１４はビデオ結合装置２１０の第２の入力５１４に入る。２つのビデオ信号の画像シーケンスは前記画像シーケンスの画像フレームと画素に関して同期してよい。すなわち、カメラ・ビデオ信号２１２の１対の画素と、グラフィックス・ビデオ信号２１４の、画像内の位置に関して対応する画素の対とは、ビデオ・スイッチ１１０により実質的に同時に送ることができる。入力５１２，５１４に入ったときにビデオ信号が同期していない場合は、ビデオ結合装置は信号を同期させてよい。
【００６０】
キーイング・パターン検出器は１対の画素の輝度Ｙ１、Ｙ２に対応する輝度データを同時に受ける（ステップ５２０）。輝度データのビットと、入力５１６を介してキーイング・パターン検出器２１８に入る（または検出器２１８内に存在する）キーイング・パターンのビットとを比較する（ステップ５２２）。キーイング・パターンは予め定義された繰返しパターンのサブパターンに対応する。輝度データがキーイング・パターンに対応する場合は、制御信号２２０は状態「１」に対応する状態に設定される（ステップ５２４）。輝度データがキーイング・パターンに対応しない場合は、制御信号２２０は状態「０」に対応する状態に設定される（ステップ５２６）。次に、キーイング・パターン検出器２１８は次の画素の対の輝度データを受けて、新しいサイクルを開始する（ステップ５２８）。
【００６１】
制御信号２２０はビデオ・スイッチ１１０に入る。制御信号が状態「１」を示す場合は、ビデオ・スイッチ１１０は、キーイング・パターン検出器がテストした輝度値Ｙ１，Ｙ２が属する２つの画素に対応するグラフィックス・ビデオ信号の部分を送り、制御信号が状態「０」を示す場合は、ビデオ・スイッチ１１０は、グラフィックス・ビデオ信号の画素の前記対に、画像内の位置に関して対応するカメラ・ビデオ信号の部分を送る。
【００６２】
したがって、ビデオ・スイッチ１１０から出力される得られるビデオ信号２１６が表す画像は、キーイング・パターンと同じ輝度パラメータＹ１，Ｙ２を有するグラフィックス・ビデオ信号のどの部分も含まない。なぜなら、かかる部分が存在するときは、ビデオ・スイッチ１１０は対応するカメラ・ビット信号を送るからである。
【図面の簡単な説明】
【００６３】
本発明の他の特徴と利点は添付の図面を参照して好ましい実施の形態の詳細な説明を読めば明らかになる。
【図１】カラー・キーイングを用いてビデオ信号を結合するための従来のシステムを示す。
【図２】本発明を用いてビデオ信号を結合するためのシステムの或る実施の形態の概要を示す。
【図３】本発明の或る実施の形態に係るビデオ・グラフィックス発生器の略ブロック図を示す。
【図４】本発明の或る実施の形態に係る結合ビデオ信号を得るのに用いられる画像の略表示を示す。
【図５ａ】本発明に係る予め定義された繰返しパターン内に用いられるサブパターンの例を示す。
【図５ｂ】本発明に係る予め定義された繰返しパターン内に用いられるサブパターンの例を示す。
【図５ｃ】本発明に係る予め定義された繰返しパターン内に用いられるサブパターンの例を示す。
【図５ｄ】本発明に係る予め定義された繰返しパターン内に用いられるサブパターンの例を示す。
【図６ａ】異なるサブサンプリング方式の例を示す。
【図６ｂ】異なるサブサンプリング方式の例を示す。
【図６ｃ】異なるサブサンプリング方式の例を示す。
【図７】本発明の１つの実施の形態に係るサブパターンの形式とデータとを示す。
【図８】本発明の１つの実施の形態に係るキーイング・パターン検出器の略ブロック図を示す。
【図９】図８に係るキーイング・パターン検出器の特定の実施の形態の論理の略図を示す。
【図１０】本発明の１つの実施の形態に係るビデオ結合装置の略ブロック図とキーイング・パターン検出器のプロセスの流れ図とを示す。
【図１】
2006516862.tif 000004
【図２】
2006516862.tif 000005
【図３】
2006516862.tif 000006
【図４】
2006516862.tif 000007
【図５ａ】
2006516862.tif 000008
【図５ｂ】
2006516862.tif 000009
【図５ｃ】
2006516862.tif 000010
【図５ｄ】
2006516862.tif 000011
【図６ａ】
2006516862.tif 000012
【図６ｂ】
2006516862.tif 000013
【図６ｃ】
2006516862.tif 000014
【図７】
2006516862.tif 000015
【図８】
2006516862.tif 000016
【図９】
2006516862.tif 000017
【図１０】
2006516862.tif 000018
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
第１のビデオ信号と第２のビデオ信号とを結合する方法であって、少なくとも前記第１のビデオ信号はビデオ画像のシーケンスを表し、また前記第１のビデオ信号と第２のビデオ信号とはそれぞれ画像データを含み、前記方法は、
前記第２のビデオ信号内の予め定義された繰返しパターンを表す画像データを前記第１のビデオ信号からの、画像内の位置に関して対応する画像データで置換する、
動作を含むビデオ信号を結合する方法。
【請求項２】
前記予め定義された繰返しパターンは予め定められた数の画素を含む連続的に配列された同じサブパターンにより形成され、前記方法は、
画像データを置換する動作の前に、前記予め定められた数の画素と少なくとも１つのサブパターンを含むキーイング・パターンとを比較して前記第２のビデオ信号内の前記予め定義された繰返しパターンを検出する、
動作を更に含む、請求項１記載のビデオ信号を結合する方法。
【請求項３】
前記第２のビデオ信号内の画像データを置換する前記動作は、
前記第２のビデオ信号の前記画像データ内の輝度データが予め定義された繰返しパターンを表すときは、前記第２のビデオ信号内の画像データを前記第１のビデオ信号からの、画像内の位置に関して対応する画像データで置換する、
動作を含む、請求項１−２のどれか１つに記載のビデオ信号を結合する方法。
【請求項４】
前記結合する方法は、前記第１のビデオ画像のクロマ・サブサンプルされた画像データと前記第２のビデオ信号のクロマ・サブサンプルされた画像データとを結合することを含む、請求項１−３のどれか１つに記載のビデオ信号を結合する方法。
【請求項５】
前記予め定義された繰返しパターンは予め定められた数の画素を含む連続的に配列された同じサブパターンにより形成され、前記方法は、置換する動作の前に、用いられたクロマ・サブサンプリング方法に従って、クロミナンスの同じデータを共用する或る数の画素の輝度データと同じ数の画素の輝度データを表すキーイング・パターンとを比較して前記第２のビデオ信号の画像データ内のサブパターンを検出する動作を更に含む、請求項４記載のビデオ信号を結合する方法。
【請求項６】
ビデオ・グラフィックス発生器から前記第２のビデオ信号を受ける、
ステップを更に含む、請求項１−５のどれか１つに記載のビデオ信号を結合する方法。
【請求項７】
第１のビデオ信号と第２のビデオ信号とを結合して第３のビデオ信号を生成する方法であって、各ビデオ信号はビデオ画像を表し、また少なくとも前記第１および第３のビデオ信号はビデオ画像のシーケンスを表し、前記方法は、
第１の信号源から前記第１のビデオ信号を受け、
第２の信号源から前記第２のビデオ信号を受け、
前記第２のビデオ信号の予め定められた数の画素内の画像データが予め定義された繰返しパターンの画素内の画像データに対応することを検出し、
前記予め定められた数の画素内の画像データが前記予め定義された繰返しパターンの画素内の画像データに対応しない場合は、前記予め定められた数の画素に対応する前記第２のビデオ信号の或る部分を出力し、
前記予め定められた数の画素内の画像データが前記予め定義された繰返しパターンの画素内の画像データに対応する場合は、前記予め定められた数の画素に、画像内の位置に関して対応する前記第１のビデオ信号の或る部分を出力する、
ことを含む、ビデオ信号を結合する方法。
【請求項８】
前記予め定義された繰返しパターンは予め定められた数の画素の画像データを含む連続的に配列された同じサブパターンにより形成され、前記検出する動作は前記予め定められた数の画素からの画像データと少なくとも１つのサブパターンを含むキーイング・パターンとを比較して前記第２のビデオ信号内の前記予め定義された繰返しパターンを検出する動作を含む、請求項７記載のビデオ信号を結合する方法。
【請求項９】
前記検出する動作は予め定義された繰返しパターンが前記第２の絵の前記予め定められた数の画素の輝度値内にあるかどうか検出するステップを含む、請求項７または８のどれか１つに記載のビデオ信号を結合する方法。
【請求項１０】
ビデオ信号は画像の画素の表現を含み、また各画素は１つの輝度値と２つのクロミナンス値とにより表される、請求項７−９のどれか１つに記載のビデオ信号を結合する方法。
【請求項１１】
ビデオ・グラフィックス発生器から前記第１のビデオ信号を受けるステップを更に含む、請求項７−１０のどれか１つに記載のビデオ信号を結合する方法。
【請求項１２】
第１のビデオ信号と第２のビデオ信号とを結合する装置であって、前記ビデオ信号はビデオ画像を表し、また少なくとも前記第１のビデオ信号はビデオ画像のシーケンスを表し、前記装置は、
前記第１のビデオ信号の入力のための第１の入力と、
前記第２のビデオ信号の入力のための第２の入力と、
第３のビデオ信号の出力のための出力と、
前記第１の入力と、前記第２の入力と、前記出力とに接続して第３のビデオ信号を出力するためのビデオ・スイッチと、
を備え、
前記装置の特徴は、
前記第２の入力に接続して前記第２のビデオ信号内の予め定義された繰返しパターンを検出するためのキーイング・パターン検出器であって、
前記予め定義された繰返しパターンの表現を受けおよび／または記憶するための手段
と、
前記予め定義された繰返しパターンが検出されたかどうかを示す信号を与える出力と
、
を備えるキーイング・パターン検出器と、
前記ビデオ・スイッチであって、前記キーイング・パターン検出器の出力に接続して、第３のビデオ信号内に表すビデオ信号を前記第１の入力と前記第２の入力の一方から連続的に選択し、前記選択は前記キーイング・パターン検出器の出力からの信号により制御される、ビデオ・スイッチと、
である、ビデオ信号を結合する装置。
【請求項１３】
前記予め定義された繰返しパターンは連続的に配列されたサブパターンを含む、請求項１２記載のビデオ信号を結合する装置。
【請求項１４】
前記キーイング・パターン検出器で処理される前記予め定義された繰返しパターンの前記表現は、前記予め定義された繰返しパターンのサブパターンの画素の数に対応する予め定められた数の画素に関するビデオ画像データである、請求項１２−１３のどれか１つに記載のビデオ信号を結合する装置。
【請求項１５】
前記ビット画像データは前記予め定められた数の画素の輝度を表すデータである、請求項１４記載のビデオ信号を結合する装置。
【請求項１６】
ビデオ信号であって、ビデオ信号のビデオ画像の各画素は１つの輝度値と２つのクロミナンス値とにより表され、
予め定義された繰返しパターンを前記画素の輝度値が定義する、ディジタル的に生成される背景と、
ディジタル的に生成されるビデオ・グラフィック前景と、
を含むビデオ信号。
【請求項１７】
前記予め定義された繰返しパターンは予め定められた数の画素を含む連続的に配列された同じサブパターンで形成される、請求項１６記載のビデオ信号。
【請求項１８】
前記サブパターンは前記ビデオ信号の輝度データで定義される、請求項１６−１７のどれか１つに記載のビデオ信号。
【請求項１９】
前記ビデオ信号の各絵はクロマ・サブサンプルされる、請求項１６−１８のどれか１つに記載のビデオ信号。
【請求項２０】
前記サブパターンは前記ビデオ信号の輝度データで定義され、また前記サブパターン内に表される画素の数は前記クロマ・サブサンプルされたビデオ信号内の同じクロマ・データを共用する画素の数に対応する、請求項１９記載のビデオ信号。
【国際調査報告】
2006516862.tif 000019
2006516862.tif 000020
2006516862.tif 000021